(57)【要約】【課題】本発明は使用者のゴルフ実力を認証するライセンスを前記使用者に付与する仮想ゴルフシミュレーション方法およびそのシステムを提供する。本発明の第１側面によれば、使用者のゴルフ実力を認証するライセンスを提供する仮想ゴルフシミュレーション方法において、前記ライセンス獲得のための要請を受信する段階と、前記要請に応答して、前記ライセンス獲得のためのテストに対する設定メニューを提供する段階と、受信された設定に応じたテストコンテンツを提供し、前記テストコンテンツの仮想のゴルフコースで前記使用者のラウンディングをシミュレーティングし前記ラウンディングした結果であるテスト結果を獲得する段階と、前記テスト結果により前記ライセンス付与の可否を判断する段階とを含む。これによって、仮想ゴルフシミュレーションシステムを通したゴルフ競技の面白さを極大化することができる。【選択図】図１
2015516216.tif 000002
【特許請求の範囲】
【請求項１】
使用者のゴルフ実力を認証するライセンスを提供する仮想ゴルフシミュレーション方法であって、
前記ライセンス獲得のための要請を受信する段階と、
前記要請に応答して、前記ライセンス獲得のためのテストに対する設定メニューを提供する段階と、
受信された設定に応じたテストコンテンツを提供し、前記テストコンテンツの仮想のゴルフコースで前記使用者のラウンディングをシミュレーティングし前記ラウンディングした結果であるテスト結果を獲得する段階と、
前記テスト結果により前記ライセンス付与の可否を判断する段階とを含むことを特徴とする仮想ゴルフシミュレーション方法。
【請求項２】
使用者のゴルフ実力を認証するライセンスを提供する仮想ゴルフシミュレーション方法であって、
仮想のゴルフコースで使用者のラウンディングをシミュレーティングし前記使用者によって制御される仮想ゴルフシミュレーション装置から前記ライセンス獲得のための要請を受信する段階と、
前記要請に応答して、前記ライセンス獲得のためのテストに対する設定メニューを提供する段階と、
受信された設定に応じたテストコンテンツを前記仮想ゴルフシミュレーション装置に提供し、前記テスト結果を前記仮想ゴルフシミュレーション装置から受信する段階と、
前記テスト結果により前記ライセンス付与の可否を判断する段階とを含むことを特徴とする仮想ゴルフシミュレーション方法。
【請求項３】
前記判断の結果、前記ライセンスを付与することを決定した場合、前記ライセンスを前記使用者の保有ライセンスとして設定する段階をさらに含むことを特徴とする請求項１または２に記載の仮想ゴルフシミュレーション方法。
【請求項４】
前記保有ライセンスに対応する恩恵を前記使用者に提供する段階をさらに含むことを特徴とする請求項３に記載の仮想ゴルフシミュレーション方法。
【請求項５】
前記恩恵を前記使用者に提供する段階は、
前記使用者に仮想のゴルフ競技を提供する際、前記保有ライセンスに対応する専用アクセサリーと共に提供する段階を含み、
前記専用アクセサリーは、専用アイコン、専用ＴＴＳ、専用仮想ゴルフシミュレーション映像および専用案内窓スキンのうち少なくとも一つを含むことを特徴とする請求項４に記載の仮想ゴルフシミュレーション方法。
【請求項６】
前記恩恵を前記使用者に提供する段階は、
前記使用者の保有ライセンスに基づいて所定の仮想ゴルフ競技に対する前記使用者の参加を許可する段階を含むことを特徴とする請求項４に記載の仮想ゴルフシミュレーション方法。
【請求項７】
前記設定メニューを提供する段階は、
前記使用者が前記ライセンスに応試できる資格条件を満足するかどうかを判断する段階と、
前記判断の結果、前記資格条件を満足する場合に限って前記設定メニューを提供する段階とを含むことを特徴とする請求項１または２に記載の仮想ゴルフシミュレーション方法。
【請求項８】
前記資格条件を満足するかどうかを判断する段階は、
前記ライセンスに対応する条件ライセンスの保有の可否に基づいて前記資格条件を満足するかどうかを判断する段階を含むことを特徴とする請求項７に記載の仮想ゴルフシミュレーション方法。
【請求項９】
前記使用者が前記保有ライセンスを維持するための維持条件を満足するかどうかを判断する段階と、
前記判断の結果、前記維持条件が満足できない場合に限って前記保有ライセンスに対するペナルティを付与する段階とをさらに含むことを特徴とする請求項３に記載の仮想ゴルフシミュレーション方法。
【請求項１０】
前記維持条件を満足するかどうかを判断する段階は、
前記使用者のラウンド記録、前記使用者のハンディー記録、および前記保有ライセンス獲得日からの経過期間のうち少なくとも一つに基づいて前記維持条件を満足するかどうかを判断する段階を含むことを特徴とする請求項９に記載の仮想ゴルフシミュレーション方法。
【請求項１１】
前記使用者のヒストリー情報に基づいて推薦ライセンス目録を提供する段階をさらに含むことを特徴とする請求項１または２に記載の仮想ゴルフシミュレーション方法。
【請求項１２】
使用者のゴルフショットに応じたゴルフボールまたはゴルフクラブの移動を感知すれば、前記感知結果をシミュレーティングしてシミュレーション結果値を生成するシミュレーティング部と、
前記シミュレーション結果値に基づいて仮想ゴルフシミュレーション映像を提供する映像処理部と、
前記使用者のゴルフ実力を認証するライセンス獲得のための要請を受信すれば、前記要請に応答して前記ライセンス獲得のためのテストに対応する仮想のゴルフコース映像を前記映像処理部を通して提供し、前記仮想のゴルフコースで前記使用者がラウンディングした結果により前記ライセンス付与の可否を判断するライセンス管理部とを含むことを特徴とする仮想ゴルフシミュレーション装置。
【請求項１３】
前記ライセンス管理部は追加的に、前記判断の結果、前記ライセンスを付与することを決定した場合、前記ライセンスを前記使用者の保有ライセンスとして設定し、前記保有ライセンスに対応する恩恵を提供することを特徴とする請求項１２に記載の仮想ゴルフシミュレーション装置。
【請求項１４】
前記恩恵は、前記使用者に仮想のゴルフ競技を提供する際、前記保有ライセンスに対応する専用アクセサリーと共に提供することを含み、
前記専用アクセサリーは、専用アイコン、専用ＴＴＳ、専用仮想ゴルフシミュレーション映像および専用案内窓スキンのうち少なくとも一つを含むことを特徴とする請求項１３に記載の仮想ゴルフシミュレーション装置。
【請求項１５】
前記恩恵は、前記使用者の保有ライセンスに基づいて所定の仮想ゴルフ競技に対する前記使用者の参加を許可することを含むことを特徴とする請求項１３に記載の仮想ゴルフシミュレーション装置。
【請求項１６】
前記ライセンス管理部は追加的に、前記使用者が前記ライセンスに応試できる資格条件を満足するかどうかを判断し、前記判断の結果、前記資格条件を満足する場合に限って前記テストに対応する仮想のゴルフコース映像を前記映像処理部を通して提供することを特徴とする請求項１２に記載の仮想ゴルフシミュレーション装置。
【請求項１７】
前記資格条件を満足するかどうかは、前記ライセンスに対応する条件ライセンスの保有の可否に基づいて決定されることを特徴とする請求項１６に記載の仮想ゴルフシミュレーション装置。
【請求項１８】
前記ライセンス管理部は追加的に、前記使用者が前記保有ライセンスを維持するための維持条件を満足するかどうかを判断し、前記判断の結果、前記維持条件が満足できない場合に限って前記保有ライセンスに対するペナルティを付与することを特徴とする請求項１３に記載の仮想ゴルフシミュレーション装置。
【請求項１９】
前記維持条件を満足するかどうかは前記使用者のラウンド記録、前記使用者のハンディー記録、および前記ライセンス獲得日からの経過期間のうち少なくとも一つに基づいて決定されることを特徴とする請求項１８に記載の仮想ゴルフシミュレーション装置。
【請求項２０】
前記ライセンス管理部は追加的に、前記使用者のヒストリー情報に基づいて推薦ライセンス目録を提供することを特徴とする請求項１２に記載の仮想ゴルフシミュレーション装置。
【発明の詳細な説明】
【技術分野】
【０００１】
本発明は仮想ゴルフシミュレーション方法およびシステムに関し、より具体的には、使用者のゴルフ実力を認証するライセンスを前記使用者に付与する仮想ゴルフシミュレーション方法およびシステムに関する。
【背景技術】
【０００２】
ゴルフに対する関心が高くなりながら、ゴルフフィールドに出かけなくてもゴルフ競技をプレーできるようにする仮想ゴルフシミュレーションシステム（またはスクリーンゴルフシステム）が多く普及された。仮想ゴルフシミュレーションシステムとは、仮想ゴルフシミュレーション装置を利用して、使用者に仮想のゴルフコース映像を提供し、実際ゴルフフィールドでのプレーと同様に使用者がゴルフクラブを振り回してゴルフボールを打撃すれば、前記ゴルフボールまたはゴルフクラブの移動速度、方向などを感知して前記仮想のゴルフコース上にゴルフボールが移動する様子を映像として出力するシステムである。このような仮想ゴルフシミュレーションシステムは、実際ゴルフフィールドでゴルフ競技をプレーしている現場感を使用者に提供する。
【０００３】
一方、仮想のゴルフ競技を提供する仮想ゴルフシミュレーションシステムは仮想のゴルフ競技の面白さを与えるためにゴルフ実力に応じて等級を付与しているが、これは受動的に使用者を刺激する役割を果たすだけである。従って、より能動的にゴルフに対する使用者の意欲を鼓吹させる技術が必要である。
【発明の概要】
【発明が解決しようとする課題】
【０００４】
従って、本発明は上記のような問題点を解決するために案出されたものであって、本発明は使用者のゴルフ実力を認証するライセンスを前記使用者に付与する仮想ゴルフシミュレーション方法およびシステムを提供することを目的とする。
【０００５】
また、本発明はライセンス保有という目標を提供して仮想のゴルフプレーに対する使用者の興味を極大化することを目的とする。
【０００６】
また、本発明は使用者のライセンス保有の有無を表示することによって使用者の実力を直観的に表示することを目的とする。
【課題を解決するための手段】
【０００７】
上述した技術的課題を達成するための技術的手段として本発明の第１側面によれば、使用者のゴルフ実力を認証するライセンスを提供する仮想ゴルフシミュレーション方法において、前記ライセンス獲得のための要請を受信する段階と、前記要請に応答して、前記ライセンス獲得のためのテストに対する設定メニューを提供する段階と、受信された設定に応じたテストコンテンツを提供し、前記テストコンテンツの仮想のゴルフコースで前記使用者のラウンディングをシミュレーティングし前記ラウンディングした結果であるテスト結果を獲得する段階と、前記テスト結果により前記ライセンス付与の可否を判断する段階とを含む。
【０００８】
本発明の第２側面によれば、使用者のゴルフ実力を認証するライセンスを提供する仮想ゴルフシミュレーション方法において、仮想のゴルフコースで使用者のラウンディングをシミュレーティングし前記使用者によって制御される仮想ゴルフシミュレーション装置から前記ライセンス獲得のための要請を受信する段階と、前記要請に応答して、前記ライセンス獲得のためのテストに対する設定メニューを提供する段階と、受信された設定に応じたテストコンテンツを前記仮想ゴルフシミュレーション装置に提供し、前記テスト結果を前記仮想ゴルフシミュレーション装置から受信する段階と、前記テスト結果により前記ライセンス付与の可否を判断する段階とを含む。
【０００９】
また、本発明の第３側面によれば、使用者のゴルフショットに応じたゴルフボールまたはゴルフクラブの移動を感知すれば、前記感知結果をシミュレーティングしてシミュレーション結果値を生成するシミュレーティング部と、前記シミュレーション結果値に基づいて仮想ゴルフシミュレーション映像を提供する映像処理部と、前記使用者のゴルフ実力を認証するライセンス獲得のための要請を受信すれば、前記要請に応答して前記ライセンス獲得のためのテストに対応する仮想のゴルフコース映像を前記映像処理部を通して提供し、前記仮想のゴルフコースで前記使用者がラウンディングした結果により前記ライセンス付与の可否を判断するライセンス管理部とを含む。
【発明の効果】
【００１０】
このような本発明によれば、使用者のゴルフ実力を認証するライセンスを前記使用者に付与する仮想ゴルフシミュレーション方法およびそのシステムを提供することができる。
【００１１】
また、本発明によれば、ライセンス保有という目標を提供することによって仮想のゴルフプレーに対する使用者の興味を極大化することができる。
【００１２】
そして、本発明によればライセンスを利用して使用者の実力を直観的に表示できて、前記使用者の実力を他使用者が容易に把握することができる。
【図面の簡単な説明】
【００１３】
【図１】本発明の一実施例による仮想ゴルフシミュレーションシステムの概略的なブロック図である。
【図２】本発明による仮想ゴルフシミュレーション方法が適用される仮想ゴルフシミュレーション装置を示した図である。
【図３】図２に示された仮想ゴルフシミュレーション装置に含まれるシミュレーターの概略的なブロック図である。
【図４】本発明の一実施例によるライセンス処理装置の概略的なブロック図である。
【図５】本発明の一実施例による仮想ゴルフシミュレーション方法を示すフローチャートである。
【図６】本発明の他の実施例による仮想ゴルフシミュレーション方法を示すフローチャートである。
【図７】本発明の仮想ゴルフシミュレーション方法による例示図である。
【図８】本発明の一実施例による仮想ゴルフシミュレーション方法を示すフローチャートである。
【発明を実施するための形態】
【００１４】
本発明の利点、特徴、およびそれらを達成する方法は、添付される図面と共に詳細に後述される実施例を参照すると明確になるであろう。しかし、本発明は、以下で開示される実施例に限定されるものではなく、互いに異なる多様な形態で具現されることができ、単に本実施例は本発明の開示が完全になるように、本発明が属する技術分野で通常の知識を有する者に発明の範疇を完全に知らせるために提供されるものであり、本発明は請求項の範囲によってのみ定義される。
【００１５】
明細書全体で、ある部分がある構成要素を“含む”という場合、これは特に反対の記載がない限り、他の構成要素を除くのではなく、他の構成要素がさらに含まれることを意味する。
【００１６】
明細書全体にかけて同一参照符号は同一構成要素を指称する。
【００１７】
以下で‘ライセンス’とは、使用者のゴルフ実力を認証する標識であって、使用者が能動的に獲得できる対象である。‘ライセンス’は、例えば、ダイヤモンド、ゴールド、シルバー、ブロンズなどのように等級化することができる。このような‘ライセンス’は使用者のゴルフ実力を客観的に表示する役割をし、また、特定ゴルフ競技に参加（または出場）できる資格を表示する役割をすることができる。
【００１８】
上記で定義した用語以外に説明が必要な用語は以下にそれぞれ別に説明する。
【００１９】
図１は、本発明の一実施例による仮想ゴルフシミュレーションシステムの概略的なブロック図である。
【００２０】
本発明の一実施例によれば仮想ゴルフシミュレーションシステム１０は、サーバー１００および仮想ゴルフシミュレーション装置２００を含み、これらは有線および／または無線のネットワークを通して連結されていて互いに通信可能である。また、仮想ゴルフシミュレーションシステム１０は使用者端末器２０とも通信可能である。使用者端末器２０、サーバー１００および仮想ゴルフシミュレーション装置２００は複数個となることができ、本明細書では便宜上一つずつ示している。
【００２１】
本発明の一実施例によれば使用者端末器２０は、使用者が仮想ゴルフシミュレーションシステム１０にアクセスするための装置一切を含み、一般に電子端末器となることができる。例えば、使用者端末器２０は、コンソール、携帯電話、個人用パソコン（ＰＣ）、タブレット（Ｔａｂｌｅｔ）コンピュータ、移動通信端末器、ノートパソコン、ＰＤＡ（ｐｅｒｓｏｎａｌ  ｄｉｇｉｔａｌ  ａｓｓｉｓｔａｎｔｓ）のうちの任意のものになることができる。したがって、使用者は使用者端末器２０を通じて、仮想ゴルフシミュレーションシステム１０にアクセスすることができ、自分が保有している保有ライセンス、または更新／獲得が必要なライセンスなどを確認することができる。
【００２２】
本発明の一実施例によれば、サーバー１００は仮想ゴルフシミュレーション装置２００と通信しながら、仮想ゴルフシミュレーション装置２００を通じて仮想のゴルフ競技をプレーする使用者がゴルフ競技を進行するに必要な諸般の情報を提供することができる。
【００２３】
サーバー１００は、仮想ゴルフシミュレーション装置２００と通信するための通信部（図示せず）を含むことができ、また、サーバー１００は図４のライセンス処理装置４００が具現されたライセンスモジュール（図示せず）を含むことができる。
【００２４】
一方、本発明の一実施例によれば仮想ゴルフシミュレーション装置２００は、使用者のゴルフショットを感知し感知結果をシミュレーティングしてシミュレーション結果値をスクリーンに出力する。このような仮想ゴルフシミュレーション装置２００と関連しては図２とともに以下に説明する。
【００２５】
図２は、本発明の一実施例による仮想ゴルフシミュレーション装置２００を示す。
【００２６】
本発明の一実施例による仮想ゴルフシミュレーション装置２００は仮想ゴルフ競技の進行のための各種設定などのために使用者によって操作が可能な操作装置（図示せず）を含む。操作装置は使用者の指示事項を仮想ゴルフシミュレーション装置に伝達できる一切のデバイス、例えば、タッチスクリーン、キーボード、マウス、キオスクなどになることができ、または、使用者がゴルフショットができる打席Ｐで簡便に仮想ゴルフシミュレーションの設定が操作できるように打席Ｐ上でキー操作部（図示せず）で具現されることができる。このような操作装置を通して使用者はシミュレーター３００を操作することができる。
【００２７】
そして、仮想ゴルフシミュレーション装置２００は、使用者のゴルフボールＯ打撃によるゴルフボールの動きまたはゴルフクラブの動きなどをセンシングするセンサー装置（図示せず）を含む。センサー装置は例えば、使用者の打席Ｐ側に設けられる光センサー（ＩＲ／レーザ／ＬＥＤ）で具現されることができ、またはカメラセンサーで具現されることができ、キオスク（ｋｉｏｓｋ）センサーで具現されることもできる。
【００２８】
また、仮想ゴルフシミュレーション装置２００によるシミュレーション結果値を映像として出力する映像出力装置Ｄと連結されるが、例えば、図２に示されているように、映像出力装置Ｄは使用者Ｇがゴルフショットをシミュレーティングした結果に応じた映像を使用者Ｇの正面に位置したスクリーンＳに出力する。
【００２９】
また、仮想ゴルフシミュレーション装置２００はセンサー装置によってセンシングされたセンシング結果をシミュレーティングし、その結果を映像出力装置Ｄを通じて表示するシミュレーター３００を含む。
【００３０】
図３は、図２に示された仮想ゴルフシミュレーション装置に含まれるシミュレーター３００の概略的なブロック図である。
【００３１】
本発明の一実施例によるシミュレーター３００は、シミュレーティング部３１０、映像処理部３２０、制御部３３０、貯蔵部３４０およびライセンス管理部３５０を含む。
【００３２】
そして、シミュレーター３００は、外部および内部構成要素間に通信を可能にする通信部（図示せず）を含むことができる。
【００３３】
本発明の一実施例によるシミュレーティング部３１０は、使用者のゴルフショットによるゴルフボールまたはゴルフクラブの移動を感知すれば、前記感知結果に応じたシミュレーション結果値を生成する。ここで、‘シミュレーション結果値’とは、使用者のゴルフショットに応じた感知結果（例えば、ゴルフボールの移動速度、移動方向および移動高さに関する情報、またはゴルフクラブの移動様子など）を参照して環境変数（仮想のゴルフ競技シミュレーションのために必要な変数であって、使用者のゴルフスイング行為に影響を受けない変数、例えば、天気、風、コース難易度、グリーン難易度、ゲーム難易度、スイングプレート、ティー位置、グリーンの速さ、マリガンの使用可否、ＯＢティーの使用可否、センサの種類）によりシミュレーティングして生成した結果値である。
【００３４】
一方、本発明の一実施例による映像処理部３２０は、シミュレーション結果値および貯蔵された映像情報を利用して仮想のゴルフコースまたはゴルフボールの移動に関する映像、メニューに関する映像、または、ゴルフ競技進行に関する映像またはライセンス取得に関する映像（例えば、ライセンス取得のためのテストに対応する仮想のゴルフコース映像または前記仮想のゴルフコースでのゴルフボールの移動に関する映像）等のすべての仮想ゴルフシミュレーション関連映像を処理して映像出力装置Ｄを通じてスクリーンＳ上に出力する。例えば、使用者が獲得しようとするライセンスを取得するためのテストを提供するために映像処理部３２０は前記テストに対応する仮想のゴルフコース映像を提供し、前記仮想のゴルフコースでの使用者のゴルフショットに応じた感知結果を処理したシミュレーション結果値によってゴルフボールの移動様子を映像として生成して提供し、前記テストに対するラウンディング結果であるテスト結果に関する映像を生成して提供することができる。
【００３５】
また、映像処理部３２０は使用者の保有ライセンスにより使用者に提供される映像と共に使用者専用アクセサリーを提供することができる。
【００３６】
本発明の一実施例による制御部３３０は、シミュレーティング部３１０、映像処理部３２０、貯蔵部３４０およびライセンス管理部３５０などのすべての装置を制御する。
【００３７】
例えば、制御部３３０はシミュレーティング部３１０がセンサー装置を通して使用者のスイング動作によるゴルフボールまたはゴルフクラブの移動を感知すれば前記感知結果をシミュレーティングしてシミュレーション結果値を計算し、映像処理部３２０によって前記シミュレーション結果値に応じた仮想ゴルフシミュレーション映像を映像出力装置Ｄを通じてスクリーン７０に出力するようにする。また、制御部３３０はライセンス獲得のための要請を受信した場合、ライセンス管理部３５０によってライセンス取得に必要な情報に基づいて前記ライセンスに対応するテストコンテンツを提供するようにし、前記テストコンテンツに関する映像を前記映像処理部３２０によって出力することができる。また、例えば、制御部３３０は映像処理部３２０によってゴルフシミュレーション映像を提供する際、使用者の保有ライセンスにより専用アクセサリーと共に提供することができ、また、使用者の保有ライセンスにより所定のゴルフ競技に対する使用者の参加可否を決定することができる。
【００３８】
本発明の一実施例による貯蔵部３４０はシミュレーター３００の動作に必要なデータを貯蔵する。例えば、貯蔵部３４０はゴルフシミュレーションのためのすべてのデータであるシミュレーション情報を貯蔵し、‘シミュレーション情報’は、例えばゴルフコースに関する映像と背景映像、そしてゴルフコースでの音響効果などに関する情報などを含むことができる。
【００３９】
一方、本発明の一実施例によるライセンス管理部３５０は図４のライセンス処理装置４００が具現されたモジュールである。つまり、図２のシミュレーター３００のライセンス管理部３５０はライセンス処理装置４００がシミュレーター３００で具現された場合である。
【００４０】
図４は、本発明の一実施例によるライセンス処理装置４００の概略的なブロック図である。
【００４１】
本発明の一実施例によるライセンス処理装置４００はライセンス諸般に関する事項を管理する装置であって、ライセンスの取得、保有時の恵み、維持などを管理することができる。
【００４２】
ライセンス処理装置４００は、ライセンス付与部４１０、ライセンス恩恵処理部４２０、ライセンス維持部４３０、ライセンス情報貯蔵部４４０およびライセンス推薦部４５０を含む。
【００４３】
本発明の一実施例によるライセンス付与部４１０は、使用者にライセンスを付与するための検証を行い、適格認証部４１１および資格検証部４１２を含むことができる。
【００４４】
ライセンス付与部４１０はライセンス付与のための検証を行う前に、使用者に設定メニューを提供することができ、使用者の設定を受信し受信された設定によりライセンス付与の有無を検証するためのテストコンテンツを提供することができる。設定メニューは例えば、ライセンスの種類が選択できるようにするメニュー、仮想のゴルフフィールドが選択できるメニュー、使用者情報が設定できるようにするメニューなどを含むことができる。場合によっては、前記設定メニューに対する入力はデフォルトで設定することができる。
【００４５】
本発明の一実施例による適格認証部４１１はライセンスに応試できる資格条件を使用者が満足するかどうかを判断し、判断の結果、前記資格条件を満足する場合に限って前記使用者がライセンスに応試できるようにする。
【００４６】
ライセンス応試資格条件を満足するかどうかは、前記ライセンスに対応する条件ライセンスの保有の可否に基づいて決められる。例えば、特定ライセンスを応試するために前記特定ライセンスの下位等級のライセンスを保有していることを前提とする場合、前記下位等級のライセンスは条件ライセンスになり前記条件ライセンスを保有しなければ前記特定ライセンスの応試ができなくなる。
【００４７】
また、ライセンス応試資格条件を満足するかどうかは、前述した以外にも、前記ライセンスに対応する他の条件の満足の可否に基づいて決められる。例えば、ライセンスに応試する使用者の性別、年齢、国籍、ゴルフ競技プレー地域、ハンディーなどが資格条件となることができ、前記資格条件を満足しなければ前記ライセンスの応試ができなくなる。
【００４８】
そして、適格認証部４１１は使用者がライセンス応試資格条件を満足していると設定して、前記使用者をして前記ライセンスを応試するようにすることができる。
【００４９】
一方、本発明の一実施例による資格検証部４１２はライセンス取得のためのテストコンテンツを提供し、前記テストを通過した場合にライセンスを付与する。前記テストを通過してライセンスを付与するかどうかを判断する方法は多様である。
【００５０】
例えば、テストに対応する仮想のゴルフコースでの使用者ラウンディングをシミュレーティングしてテスト結果を獲得し、前記結果での打数が所定の回数以上である場合、前記テストに通過したと判断してライセンスが付与される。
【００５１】
また、例えば、前記テストは複数個であり前記複数個のテストのうち少なくとも一部を連続で応試し前記連続して応試したテストを通過した場合、前記ライセンスを付与することができる。例えば、特定ライセンスを獲得するために全５回のテストを提供し、前記全５回のテスト中で２回、３回、４回のテストを応試し通過した場合に前記特定ライセンスを付与することができる。
【００５２】
そして、例えば、テストを応試する過程で中途放棄した回数が所定の回数以上である場合、前記テストを放棄（または脱落）したと判断してライセンスを付与しないことがある。例えば、特定ライセンスを獲得するために全５回のテストを経なければならない場合、前記テストを中途放棄した回数が３回以上の場合は前記特定ライセンスに対応するテストを放棄したと判断してライセンスを付与しないことがある。
【００５３】
資格検証部４１２はライセンスを付与することを決定した場合、前記ライセンスを前記使用者の保有ライセンスとして設定することができる。例えば、前記使用者のユーザアカウントに前記ライセンスを保有ライセンスとして保存したり、前記使用者の使用者情報のフィールド値を変更することによって前記ライセンスを前記使用者の保有ライセンスとして設定することができる。
【００５４】
一方、本発明の一実施例によるライセンス恩恵処理部４２０はライセンスの恩恵情報によって前記ライセンスを保有している使用者に恩恵を提供することができる。
【００５５】
例えば、ライセンス恩恵処理部４２０は、使用者が保有している保有ライセンスによって前記使用者がゴルフ競技を進行する際、前記使用者の専用アクセサリーと共に提供することができる。前記専用アクセサリーはライセンス保有者だけが有することができる専用ＵＩ（ｕｓｅｒ  ｉｎｔｅｒｆａｃｅ、例えば、専用アイコン、専用ＴＴＳ（ｔｅｘｔ  ｔｏ  ｓｐｅｅｃｈ）、専用仮想ゴルフシミュレーション映像および専用案内窓スキン）などになることができ、ライセンスの種類によって差等的に提供されることができる。例えば、使用者が特定ライセンスを保有する場合、前記使用者がゴルフをプレーするごとに前記特定ライセンスに対応するアイコンをスクリーンＳに出力することができる。または、例えば、使用者が特定ライセンスを保有する場合、前記使用者がゴルフをプレーするごとにテキストに案内された内容を音声で案内したり案内音声を変更することができる。または、例えば、使用者が特定ライセンスを保有する場合、前記使用者がゴルフをプレーするごとに使用者のゴルフショットに応じた仮想ゴルフシミュレーション映像が計画できる専用案内窓スキンが共に提供されることができる。
【００５６】
また、例えば、ライセンス恩恵処理部４２０は、使用者が保有している保有ライセンスによって、所定の仮想ゴルフ競技に対する前記使用者の参加可否が決められる。例えば、特定ゴルフ大会が参加資格として特定ライセンスを保有することを要求することができ、使用者が前記特定ライセンスを保有する場合、前記使用者は前記特定ゴルフ大会に参加できる状態となる。
【００５７】
一方、本発明の一実施例によるライセンス維持部４３０は、ライセンスを維持するための維持条件を満足するかどうかを判断し、判断の結果、前記維持条件を満足しない場合に限って前記ライセンスに対するペナルティを付与する。この時、ペナルティは前記保有ライセンスの等級を降格したり消滅させることを含むことができる。
【００５８】
ライセンス維持部４３０は、使用者情報、例えば使用者のラウンド記録、前記使用者のハンディー記録、および前記使用者のライセンス獲得日から経過期間のうち、少なくとも一つに基づいて、前記使用者がライセンスの維持条件を満足するかどうかが決められる。
【００５９】
例えば、ライセンス維持部４３０は使用者が特定ライセンスを獲得した時点から所定の期間以内に所定の回数以上のラウンド記録を持っていない場合、前記特定ライセンスにペナルティを付与することができる。
【００６０】
また、例えば、ライセンス維持部４３０は使用者が特定ライセンスを獲得した時点から所定の期間以内に所定の回数以下のハンディー記録を持っていない場合、前記特定ライセンスにペナルティを付与することができる。
【００６１】
そして、例えば、ライセンス維持部４３０は使用者が特定ライセンスを獲得した時点から経過期間が有効期間を超えた場合、前記特定ライセンスにペナルティを付与することができる。
【００６２】
また、ライセンス維持部４３０は発生したペナルティに関する通知を提供することができる。ペナルティに関する通知は、例えば、ペナルティが発生したことを知らせる通知、またはペナルティによって消滅した（または消滅できる）ライセンスの更新が必要であることを知らせる通知、ペナルティによって降格された（降格できる）ライセンス等級の昇級が必要であることを知らせる通知および推薦ライセンスに前記ペナルティ付与のライセンスが追加されたことを知らせる通知のうち少なくとも一つでありうる。ライセンス維持部４２０は前記ペナルティに関する通知を仮想ゴルフシミュレーション装置２００を通じて、または使用者端末器２０を通じて提供することができる。
【００６３】
関連して、ライセンス維持部４３０がライセンスを維持するための維持条件を満足するかどうかを判断することは、リアルタイムでまたは周期的に行うことができ、または使用者がログインするごとに行われるが、前述した例に限定されない。
【００６４】
反面、本発明の一実施例によるライセンス情報貯蔵部４４０は仮想ゴルフシミュレーション装置２００を通じてライセンスを取得または更新しようとする使用者の使用者情報を保存することができ、また、ライセンスそれぞれに関する諸般の情報であるライセンス情報を保存できる。
【００６５】
‘使用者情報’としては、例えば、使用者に関する身上情報（例えば、使用者の性別、年齢、プレー地域など）、前記使用者のゴルフプレーのための一般設定情報（例えば、ティー位置、ティー高さ、打席位置など）、前記使用者のヒストリー情報、または前記使用者の保有ライセンス情報などを含むことができる。
【００６６】
‘ライセンス情報’としては、例えば、ライセンス名称、ライセンス識別番号、ライセンス資格条件情報、ライセンス維持条件情報、およびライセンス保有恩恵情報のうち少なくとも一つを含むことができる。
【００６７】
ライセンス推薦部４５０は使用者情報を参照して、特に使用者のヒストリー情報（使用者が過去にプレーした仮想ゴルフ競技結果に関する情報、例えば、前記使用者が最も最近プレーした仮想ゴルフ競技結果に関する情報でもあり、前記使用者が過去プレーした仮想ゴルフ競技結果を累積した結果に関する情報でもある。）によって使用者に推薦するほどの推薦ライセンス目録を提供することができる。例えば、使用者が過去にプレーした結果により使用者の実力が所定のレベルに該当する場合、前記レベルに対応したり上位レベルのライセンスを推薦ライセンスとして提供することができる。また、例えば、使用者が保有している保有ライセンス目録を参照して、前記保有ライセンスより上位レベルのライセンスを推薦ライセンスとして提供することができる。また、例えば、使用者が過去に共にプレーした知人の保有ライセンスを推薦ライセンスとして提供することができる。
【００６８】
前述したライセンス処理装置４００の一部または全部の構成は、サーバー１００または図３のシミュレーター３００に含まれて具現されることができる。
【００６９】
例えば、サーバー１００はライセンス処理装置４００が具現されたライセンスモジュールを含むことができ、前記ライセンスモジュールは前述したライセンス処理装置４００で遂行する作業を行うことができ、作業遂行のためのデータまたは作業遂行の結果データを通信部（図示せず）を通じてシミュレーター３００と送受信することができる。
【００７０】
図５は、本発明の一実施例により仮想ゴルフシミュレーション装置２００で遂行される仮想ゴルフシミュレーション方法を示すフローチャートである。
【００７１】
図５に示された実施例による仮想ゴルフシミュレーション方法は、図２に示された仮想ゴルフシミュレーション装置２００で時系列的に処理される段階を含む。したがって、以下で省略した内容でも図２に示された仮想ゴルフシミュレーション装置２００について前述した内容は図５に示された実施例による仮想ゴルフシミュレーション方法にも適用できる。
【００７２】
仮想ゴルフシミュレーション装置２００は使用者からライセンス応試に関する要請を受信する前に前記使用者に推薦ライセンス目録を提供することができる。例えば、仮想ゴルフシミュレーション装置２００は使用者のヒストリー情報によって生成された推薦ライセンス目録を提供することができる。使用者は推薦ライセンス目録を参考にして獲得しようとするライセンスを容易に把握して獲得でき、これはゴルフゲームに対する使用者の興味を極大化することができる。
【００７３】
一方、仮想ゴルフシミュレーション装置２００は使用者からライセンス応試に関する要請を受信することができる（Ｓ５１０）。前記要請に応答して、仮想ゴルフシミュレーション装置２００は前記ライセンス獲得のためのテストに対する設定メニューを前記使用者に提供し設定を受信することができる（Ｓ５２０）。例えば、仮想ゴルフシミュレーション装置２００は前記使用者が前記ライセンスに応試できる条件ライセンスを保有しているかどうかを判断し、判断の結果、前記条件ライセンスを保有していると、仮想のゴルフコースが設定できる設定メニューを前記使用者に提供することができ、使用者によって選択された仮想のゴルフコースをテストコンテンツに含むことができる。
【００７４】
一方、仮想ゴルフシミュレーション装置２００は受信された設定に応じたテストコンテンツを提供し前記テストコンテンツの仮想のゴルフコースで前記使用者のラウンディングをシミュレーティングして前記ラウンディングした結果であるテスト結果を獲得することができる（Ｓ５３０）。仮想ゴルフシミュレーション装置２００は、前記テスト結果により前記ライセンス付与の可否を判断することができる（Ｓ５４０）。もし、テストの結果、前記使用者がライセンス獲得のための実力を備えていないと判断する場合、仮想ゴルフシミュレーション装置２００はライセンスを付与せず、前記ライセンス獲得に失敗したことを案内することができる（Ｓ５５０）。反面、判断の結果、前記ライセンスを付与することを決定した場合、仮想ゴルフシミュレーション装置２００は前記使用者に前記ライセンスを付与することができる（Ｓ５６０）。
【００７５】
一方、図６は本発明の他の実施例によりサーバー１００で遂行される仮想ゴルフシミュレーション方法を示すフローチャートである。
【００７６】
サーバー１００ではライセンス処理装置４００の動作と同じ動作をするライセンスモジュール（図示せず）を含んでおり、サーバー１００のライセンスモジュールは前述したライセンス処理装置４００で遂行する作業を行うことができる。
【００７７】
まず、サーバー１００は仮想ゴルフシミュレーション装置２００を通じて推薦ライセンス目録を提供することができる、
【００７８】
サーバー１００は仮想ゴルフシミュレーション装置２００を通じて使用者からライセンス応試に関する要請を受信すれば（Ｓ６１０）、前記要請により応答して、仮想ゴルフシミュレーション装置を通してテスト設定メニューを提供し設定を受信する（Ｓ６２０）。そして、サーバー１００は前記仮想ゴルフシミュレーション装置を通して前記使用者に前記ライセンス獲得のためのテストコンテンツを提供し前記テスト結果を受信することができる（Ｓ６３０）。つまり、仮想ゴルフシミュレーション装置２００で使用者にテストコンテンツに対応する仮想ゴルフシミュレーション映像を使用者に提供し、仮想のゴルフコースで前記使用者がラウンディングした結果をシミュレーティングしてテスト結果値を生成するので、サーバー１００は仮想ゴルフシミュレーション装置２００を通じてテストコンテンツを提供し前記テスト結果を受信することができる。
【００７９】
サーバー１００は受信されたテスト結果により前記ライセンス付与の可否を判断することができる（Ｓ６４０）。もし、テストの結果、前記使用者がライセンス獲得のための実力を備えていないと判断する場合、サーバー１００はライセンスを付与せず、前記ライセンス獲得に失敗したことを前記仮想ゴルフシミュレーション装置を通して使用者に案内することができる（Ｓ６５０）。反面、判断の結果、前記ライセンスを付与することを決定した場合、サーバー１００は前記使用者に前記ライセンスを付与し（Ｓ６６０）、前記仮想ゴルフシミュレーション装置を通して前記使用者にライセンスが付与されたことを通知することができる。
【００８０】
図５および図６の方法により使用者は仮想ゴルフシミュレーション装置を通してライセンスに対応するテストを応試し通過することによって、前記ライセンスが保有できることになり、以降前記保有ライセンスによる恩恵が提供されることになる。
【００８１】
関連して、図７は使用者が仮想のゴルフ競技をプレーする際、前記使用者の保有ライセンスに対応する専用アクセサリーが表示されたスクリーンＳを示す。
【００８２】
図７に示されているように、使用者が保有している保有ライセンスにより専用案内窓スキン７１０および専用アイコン７２０を使用者がゴルフ競技を進行する際に提供することができる。これによって使用者はライセンス保有に応じた差別化を実感することができ、これはライセンス獲得への意欲を鼓吹させて仮想ゴルフに対する興味を極大化させる。
【００８３】
一方、本発明の望ましい一実施例による仮想ゴルフシミュレーション方法では使用者が獲得したライセンスを維持するための条件を前記使用者が満足できない場合、前記保有ライセンスに対するペナルティが付与できる。これと関連しては、図８を参照して以下に説明し、図８の一連の段階はサーバー１００または仮想ゴルフシミュレーション装置２００で遂行できる。
【００８４】
図８に示されているように、サーバー１００または仮想ゴルフシミュレーション装置２００はライセンスを保有しているかどうかを判断することができる（Ｓ８１０）。ライセンスを保有していない場合は前記ライセンスの維持の可否を判断する必要がない。
【００８５】
一方、前記ライセンスを保有しているＭヶ月間の使用者のラウンド記録がＮ回以上である場合（Ｓ８２０）、または前記ライセンスを保有しているＫヶ月間の使用者のハンディー記録がＬ回以下である場合（Ｓ８３０）、またはライセンス有効期間が過ぎない場合（Ｓ８４０）は、サーバー１００または仮想ゴルフシミュレーション装置２００は前記ライセンスを維持するようにすることができる（Ｓ８６０）（ＫおよびＭは０以上の任意の実数、ＬおよびＮは０以上の任意の整数）。
【００８６】
しかし、前記ライセンスを保有しているＭヶ月間の使用者のラウンド記録がＮ回未満の場合（Ｓ８２０）、または前記ライセンスを保有しているＫヶ月間の使用者のハンディー記録がＬ回超える場合（Ｓ８３０）、またはライセンス有効期間が過ぎた場合（Ｓ８４０）には、サーバー１００または仮想ゴルフシミュレーション装置２００は前記ライセンスにペナルティを付与することができる（Ｓ８５０）。例えば、使用者の保有ライセンスの有効期間が過ぎた場合、サーバー１００または仮想ゴルフシミュレーション装置２００は前記保有ライセンスの等級を降格することができる。このようなペナルティが挽回できるようにサーバー１００または仮想ゴルフシミュレーション装置２００は前記使用者にペナルティに関する通知を提供することができる。これによって、ライセンス維持のための緊張感が使用者に与えられ、これは仮想のゴルフプレーに対する面白さを極大化させる要素として作用することができる。
【００８７】
前記実施例は本発明を具体的に説明するための例示に過ぎないものであって、本発明はこれら実施例に限定されない。本発明の趣旨を逸脱しない範囲で構成の付加、省略、置換、およびその他の変更が可能である。本発明は前述した説明に限定されず、以下の特許請求の範囲のみによって限定される。
【図２】
2015516216.tif 000003
【図１】
2015516216.tif 000004
【図３】
2015516216.tif 000005
【図４】
2015516216.tif 000006
【図５】
2015516216.tif 000007
【図６】
2015516216.tif 000008
【図７】
2015516216.tif 000009
【図８】
2015516216.tif 000010
【国際調査報告】
2015516216.tif 000011
2015516216.tif 000012
2015516216.tif 000013
2015516216.tif 000014